(57)【要約】【課題】高圧燃料ポンプを備えた内燃機関において、故障等で高圧燃料ポンプが制御不可能の状態のまま、燃料噴射弁から噴射される燃料量より高圧燃料ポンプによる吐出量が多い状態になった場合は、燃料圧力が意図せず上昇して燃料噴射弁の開弁限界圧を超えることにより燃料噴射制御が不能となり、失火が発生して燃費・排気・運転性の悪化を招く。【解決手段】本発明に係る高圧燃料供給装置は上記の課題を解決するため、高圧燃料供給装置およびその制御系に異常が発生し、燃料蓄圧室内の圧力が上昇したとき、燃料蓄圧室内の圧力が燃料噴射弁の開弁限界圧を超えない装置構成とする。また、燃料噴射量を用いて、燃料蓄圧室内の圧力が燃料噴射弁の開弁限界圧を超えない許容内燃機関回転数上限値を算出し、内燃機関回転数をこの値以下に制限する手段を設ける。【選択図】　図１６
2004028037.tif 000002
【特許請求の範囲】
【請求項１】
燃料タンクから燃料を高圧燃料ポンプの低圧側に供給する低圧燃料ポンプと、前記低圧ポンプにより供給された燃料を加圧して燃料蓄圧室に供給する高圧燃料ポンプと、前記高圧燃料ポンプの制御装置と、前記高圧燃料ポンプにより供給された燃料を蓄積する燃料蓄圧室と、前記燃料蓄圧室内の圧力が所定値以上に上昇した際に開弁し、燃料を前記高圧燃料ポンプの低圧側に戻すことによって圧力を調整する圧力調整弁と、燃料蓄圧室内の燃料を内燃機関内に噴射する燃料噴射弁と、を有し、前記燃料噴射弁の開弁限界圧は、前記高圧燃料ポンプまたは前記高圧燃料ポンプの制御装置の異常時に発生しうる前記燃料蓄圧室内の最高圧力以上であることを特徴とする高圧燃料供給装置。
【請求項２】
燃料タンクから燃料を高圧燃料ポンプの低圧側に供給する低圧燃料ポンプと、前記低圧ポンプにより供給された燃料を加圧して燃料蓄圧室に供給する高圧燃料ポンプと、前記高圧燃料ポンプの制御装置と、前記高圧燃料ポンプにより供給された燃料を蓄積する燃料蓄圧室と、前記燃料蓄圧室内の圧力が所定値以上に上昇した際に開弁し、燃料を前記高圧燃料ポンプの低圧側に戻すことによって圧力を調整する圧力調整弁と、燃料蓄圧室内の燃料を内燃機関内に噴射する燃料噴射弁と、を有し、前記高圧燃料ポンプまたは前記高圧燃料ポンプの制御装置の異常時に発生しうる前記燃料蓄圧室内の最高圧力が、前記燃料噴射弁の開弁限界圧以下であることを特徴とする内燃機関の高圧燃料供給装置。
【請求項３】
請求項１において、前記圧力調整弁の開弁圧により、前記高圧燃料ポンプまたは前記高圧燃料ポンプの制御装置の異常時に発生しうる前記燃料蓄圧室内の最高圧力を、前記燃料噴射弁の開弁限界圧以下とすることを特徴とする内燃機関の高圧燃料供給装置。
【請求項４】
請求項１において、前記圧力調整弁の流量特性により、前記高圧燃料ポンプまたは前記高圧燃料ポンプの制御装置の異常時に発生しうる前記燃料蓄圧室内の最高圧力を、前記燃料噴射弁の開弁限界圧以下とすることを特徴とする内燃機関の高圧燃料供給装置。
【請求項５】
請求項１において、前記高圧燃料ポンプの容量により、前記高圧燃料ポンプまたは前記高圧燃料ポンプの制御装置の異常時に発生しうる前記燃料蓄圧室内の最高圧力を、前記燃料噴射弁の開弁限界圧以下とすることを特徴とする内燃機関の高圧燃料供給装置。
【請求項６】
燃料タンクから燃料を高圧燃料ポンプの低圧側に供給する低圧燃料ポンプと、内燃機関の回転数に比例する吐出能力を持ち、前記低圧ポンプにより供給された燃料を加圧して燃料蓄圧室に供給する高圧燃料ポンプと、前記高圧燃料ポンプの制御装置と、前記高圧燃料ポンプにより供給された燃料を蓄積する燃料蓄圧室と、前記燃料蓄圧室内の圧力が所定値以上に上昇した際に自動的に開弁し、燃料を前記高圧燃料ポンプの低圧側に戻すことによって圧力を調整する圧力調整弁と、燃料蓄圧室内の燃料を内燃機関内に噴射する燃料噴射弁と、内燃機関の回転数制御装置と、を有し、前記高圧燃料ポンプまたは前記高圧燃料ポンプの制御装置に異常が発生して前記高圧燃料ポンプが全吐出となった場合に、前記内燃機関の回転数制御装置により、前記内燃機関の回転数を、前記燃料蓄圧室内の圧力が前記燃料噴射弁の開弁限界圧を超えない回転数に制限することを特徴とする内燃機関の高圧燃料供給装置。
【請求項７】
請求項６において、前記内燃機関の回転数の制限は、燃料噴射量，吸入空気量の少なくとも一つを制限することによって行うことを特徴とする内燃機関の高圧燃料供給装置。
【請求項８】
請求項６において、前記燃料蓄圧室内の圧力が前記燃料噴射弁の開弁限界圧を超えない回転数の算出は、燃料噴射量を用いて行うことを特徴とする内燃機関の高圧燃料供給装置。
【請求項９】
請求項１または６の発明において、前記高圧燃料ポンプまたは前記高圧燃料ポンプの制御装置に異常が発生したことの検出は、前記燃料蓄圧室内の圧力に基づくことを特徴とする内燃機関の高圧燃料供給装置。
【請求項１０】
請求項１または６の発明において、前記高圧燃料ポンプまたは前記高圧燃料ポンプの制御装置に異常が発生したことの検出は、前記高圧燃料ポンプへの制御信号に基づくことを特徴とする高圧燃料供給装置。
【請求項１１】
請求項１または６の発明において、前記高圧燃料ポンプまたは前記高圧燃料ポンプの制御装置に異常が発生したことの検出は、前記高圧燃料ポンプへの通電電流に基づくことを特徴とする高圧燃料供給装置。
【発明の詳細な説明】
【０００１】
【発明の属する技術分野】
本発明は、自動車等に搭載される内燃機関の装置に係り、特に高圧燃料ポンプを備えた内燃機関の高圧燃料供給装置に関する。
【０００２】
【従来の技術】
近年、ガソリンエンジン等の火花点火式エンジンにおいて、燃料をポンプにより圧送して高圧化した燃料を燃焼室内に直接噴射することにより、点火プラグ近傍に可燃混合気を層状に生成して成層燃焼を行い、これにより空燃比を大幅にリーンとした燃焼を可能として機関の燃費・排出ガス性能を大きく改善した技術が開発されている。
【０００３】
このような成層燃焼を行うにあたり、高圧化された燃料を取り扱うため、高圧燃料供給装置およびその制御装置が必要となり、これらに異常が発生した場合における技術が提案されている。
【０００４】
特開平１０−１７６５８７号においては、内燃機関の高圧燃料供給装置において、燃料圧力検出用のセンサに異常ありと診断すると前記高圧ポンプの燃料圧力が最高となるように吐出制御弁を強制制御し、吐出制御弁に異常有りと診断すると高圧ポンプの燃料圧力が最低となるように吐出制御弁を強制制御することをその趣旨としている。
【０００５】
また、特開２０００−１３０２３０号においては、高圧燃料供給装置およびその制御系に異常が発生した場合、高圧燃料ポンプによる加圧を停止し、フィードポンプによる燃料圧力にて燃料噴射弁からの燃料噴射を行う。このとき、燃料噴射量が燃料噴射を完了することのできる許容最大噴射量よりも大きければ、エンジンの電子制御ユニットがフューエルカットするようにしている。
【０００６】
【発明が解決しようとする課題】
このような従来技術の特開平１０−１７６５８７号および特開２０００−
１３０２３０号においては、高圧燃料供給装置およびその制御系に異常が発生した場合において、高圧燃料ポンプを最高吐出あるいは加圧停止に制御可能であることを前提としている。
【０００７】
しかし、内燃機関制御装置の故障等で、例えば、高圧燃料ポンプが制御不可能の状態のまま、燃料噴射弁から噴射される燃料量より高圧燃料ポンプによる吐出量が多い状態になった場合は、燃料圧力が上昇して燃料噴射弁の開弁限界圧以上となり、燃料噴射制御が不能となる場合がある。このため燃料圧力が燃料噴射弁の開弁限界圧以上にならないような高圧燃料供給装置が必要である。
【０００８】
また、燃料噴射制御が不能になることによって、燃焼室内の供給燃料量が要求値に達しなくなって混合気の空燃比が適正値よりもリーンになる。この状態で混合気を燃焼させようとしても空燃比が適正値よりもリーンであるため、混合気への着火性が低下して失火が生じるおそれがある。失火が生じた場合、燃費・排気・運転性の悪化を招くこととなる。
【０００９】
本発明は、このような問題に鑑みてなされたもので、高圧燃料ポンプおよびその制御系に異常が発生し燃料蓄圧室内の圧力が上昇したときに、燃料圧力が燃料噴射弁の開弁限界圧以上にならない高圧燃料供給装置の提供を目的とする。
【００１０】
【課題を解決するための手段】
前記目的を達成すべく、本発明に係る高圧燃料供給装置は、燃料タンクから燃料を高圧燃料ポンプの低圧側に供給する低圧燃料ポンプと、前記低圧ポンプにより供給された燃料を加圧して燃料蓄圧室に供給する高圧燃料ポンプと、前記高圧燃料ポンプの制御装置と、前記高圧燃料ポンプにより供給された燃料を蓄積する燃料蓄圧室と、前記燃料蓄圧室内の圧力が所定値以上に上昇した際に自動的に開弁し、燃料を前記高圧燃料ポンプの低圧側に戻すことによって圧力を調整する圧力調整弁と、燃料蓄圧室内の燃料を内燃機関内に噴射する燃料噴射弁と、を有し、燃料噴射弁の開弁限界圧または高圧燃料ポンプ制御不能時の燃料蓄圧室内の最高圧力を調整することにより、前記高圧燃料ポンプまたは前記高圧燃料ポンプの制御装置に異常が発生し、前記燃料蓄圧室内の圧力が上昇したときでも、燃料蓄圧室内の圧力が燃料噴射弁の開弁限界圧を超えない装置構成とする。
【００１１】
または、前記高圧燃料供給装置において、前記燃料蓄圧室内の圧力が燃料噴射弁の開弁限界圧を超えない許容内燃機関回転数上限値を算出し、内燃機関回転数をこの値以下に制限する手段を設ける。なお前記内燃機関回転数の制限は、燃料噴射量，吸入空気量の少なくとも一つを制限することによって行い、前記許容内燃機関回転数上限値の算出は燃料噴射量を使用して行う。
【００１２】
さらに、前記高圧燃料供給装置およびその制御系において、前記燃料蓄圧室内の圧力が上昇する異常の検出は、前記燃料蓄圧室内の圧力，前記高圧燃料ポンプへの制御信号，前記高圧燃料ポンプへの通電電流のいずれかを用いて行う。
【００１３】
前記の如く構成された本発明に係る高圧燃料供給装置は、燃焼室内の燃料量が要求値に達しなくなって混合気の空燃比が適正値よりもリーンになることを防ぐ。このことにより、安定した燃焼と排出ガス性能改善に貢献する。
【００１４】
【発明の実施の形態】
以下、本発明の高圧燃料供給装置の一実施形態について説明する。
【００１５】
図１は、本実施形態の内燃機関１０１の装置全体構成を示したものである。前記装置は高圧燃料ポンプ１０２を備えている。シリンダ１０１ｂに導入される吸入空気は、エアクリーナ１０３の入口部１０３ａから取り入れられ、内燃機関の運転状態計測手段の一つであるエアフロセンサ１０４を通り、吸気流量を制御する電制スロットル弁１０５ａが収容されたスロットルボディ１０５を通ってコレクタ１０６に入る。前記エアフロセンサ１０４からは、前記吸気流量を表す信号が内燃機関制御装置であるコントロールユニット１０７に出力されている。
【００１６】
また、前記スロットルボディ１０５には、電制スロットル弁１０５ａの開度を検出する内燃機関の運転状態計測手段の一つであるスロットルセンサ１０８が取り付けられており、その信号もコントロールユニット１０７に出力されるようになっている。
【００１７】
なお、図には示していないが、内燃機関の回転数計測手段からの情報もコントロールユニット１０７に入力されている。
【００１８】
前記コレクタ１０６に吸入された空気は、内燃機関１０１の各シリンダ１０１ｂに接続された各吸気管１０９に分配された後、前記シリンダ１０１ｂの燃焼室
１０１ｃに導かれる。
【００１９】
一方、ガソリン等の燃料は、燃料タンク１１０から低圧燃料ポンプ１１１により一次加圧されて燃料圧力レギュレータ１１２により一定の圧力（例えば３ｋｇ／ｃｍ２）に調圧されるとともに、高圧燃料ポンプ１０２でより高い圧力に二次加圧（例えば５０ｋｇ／ｃｍ２）されて蓄圧室１１８へ圧送される。蓄圧室１１８には、燃料噴射弁１１３，圧力調整弁１１９，圧力センサ１２０が装着されている。燃料噴射弁１１３は、内燃機関の気筒数にあわせて装着されており、内燃機関のコントロールユニット１０７の信号にて噴射の制御が行われている。また圧力調整弁１１９は、蓄圧室１１８内の圧力が所定値を超えた際開弁し、配管系の破損を防止する。
【００２０】
前記高圧燃料は、燃料噴射弁１１３から燃焼室１０１ｃに噴射される。前記燃焼室１０１ｃに噴射された燃料は、点火コイル１１４で高電圧化された点火信号により点火プラグ１１５で着火される。
【００２１】
また、排気弁のカムシャフト１２４に取り付けられたカム角センサ１１６は、カムシャフトの位相を検出するための信号をコントロールユニット１０７に出力する。ここで、カム角センサは吸気弁側のカムシャフト１２５に取り付けてもよい。また、内燃機関のクランクシャフトの回転と位相を検出するためにクランク角センサ１１７をクランクシャフト軸上に設け、その出力をコントロールユニット１０７に入力する。
【００２２】
さらに、排気管１２１中の触媒１２２の上流に設けられた空燃比センサ１２３は、排気ガスを検出し、その検出信号をコントロールユニット１０７に出力する。
【００２３】
前記コントロールユニット１０７の主要部は、図２に示すように、ＭＰＵ２０３，ＥＰ−ＲＯＭ２０２，ＲＡＭ２０４及びＡ／Ｄ変換器を含むＩ／ＯＬＳＩ２０１等で構成され、内燃機関の運転状態を計測（検出）する手段の一つであるエアフロセンサ１０４，燃料圧力センサ１２０を含む各種のセンサ等からの信号を入力として取り込み、所定の演算処理を実行し、この演算結果として算定された各種の制御信号を出力し、制御対象である前記各燃料噴射弁１１３，点火コイル１１４等に所定の制御信号を供給して燃料供給量制御，点火時期制御及び燃料供給ポンプによる燃料圧力制御を実行するものである。
【００２４】
図３に、高圧燃料ポンプおよびその制御系に異常が発生し、燃料噴射弁から噴射する燃料量より高圧ポンプによる吐出量が多くなった場合の蓄圧室内の燃料圧力挙動について示す。燃料圧力は上昇するが、高圧ポンプの吐出量および燃料噴射量は変化しないとすると、圧力調整弁の開弁圧からある地点で燃料圧力上昇は止まる。これは図４に示すように圧力調整弁流量つまり（ポンプ吐出量−燃料噴射量）と、圧力調整弁開弁圧からの圧力上昇値は、圧力調整弁の特性により一定の関係を持つためである。
【００２５】
よって、高圧燃料ポンプおよびその制御系に異常が発生し、高圧燃料ポンプが全吐出を行う一方で、燃料噴射弁が燃料を噴射していない状態の燃料圧力が異常時の最高燃料圧力となり、この燃料圧力になっても蓄圧室に据え付けられた燃料噴射弁に対してコントロールユニット１０７が噴射量制御できる装置、つまり燃料噴射弁の開弁限界圧が異常時の最高燃料圧力以上に設計された装置を提供しなければならない。
【００２６】
まず、装置の設計，設定によって目的を達する実施例について説明する。
【００２７】
第１の実施形態は、異常時最高燃料圧力以上の開弁圧を有する燃料噴射弁を選定することである。
【００２８】
第２の実施形態を図１２に示す。ポンプ全吐出容量と圧力調整弁流量特性より圧力調整弁開弁圧からの圧力上昇値を算出する。燃料噴射弁開弁限界圧と圧力上昇値との差を前記圧力調整弁開弁圧と設定することにより、異常時最高燃料圧力が燃料噴射弁開弁限界圧以上にならないようにする。
【００２９】
第３の実施形態を図１３に示す。ポンプ全吐出容量が圧力調整弁に流れたとした場合、開弁圧からの圧力上昇値が（燃料噴射弁開弁限界圧−圧力調整弁開弁圧）以下となるように圧力調整弁流量特性を設定し、異常時最高燃料圧力が燃料噴射弁開弁限界圧以上にならないようにする。
【００３０】
第４の実施形態を図１４に示す。（燃料噴射弁開弁限界圧−圧力調整弁開弁圧）によって許容できる最大圧力上昇値を算出し、前記最大圧力上昇値を引数とし圧力調整弁流量特性からポンプ全吐出容量の最大値を算出する。前記全吐出容量最大値以下にポンプ全吐出容量を設定することによって、異常時の最高燃料圧力を下げ、異常時最高燃料圧力が燃料噴射弁開弁限界圧以上にならないようにする。
【００３１】
次に制御によって目的を達する実施例について説明する。
【００３２】
図５に高圧燃料ポンプ構造例を示す。ポンプ本体１には、燃料吸入通路１０，燃料吐出通路１１，加圧室１２が形成されている。加圧室１２にはプランジャ２が摺動可能に保持されている。燃料吸入通路１０及び燃料吐出通路１１には、吸入弁５，吐出弁６が設けられており、それぞればね５ａ，６ａにて一方向に保持され、燃料の流通方向を制限する逆止弁となっている。また、ソレノイド８０がポンプ本体１に保持されており、ソレノイド８０には、係合部材８１，ばね８２が配されている。係合部材８１は、ソレノイド８０の通電がＯＦＦ時は、ばね
８２によって、吸入弁５を開弁する方向に付勢力がかけられている。ばね８２の付勢力は、吸入弁ばね５ａの付勢力より大きくなっているため、ソレノイド８０の通電がＯＦＦ時は、吸入弁５は開弁状態となっている。燃料は、燃料タンク
１１０から低圧燃料ポンプ１１１にてポンプ本体１の燃料吸入通路へと、燃料圧力レギュレータ１１２にて一定の圧力に調圧されて、導かれている。その後、ポンプ本体１にて加圧され、燃料吐出通路１１を経て蓄圧室１１８に圧送される。以上の構成により、動作を以下説明する。
【００３３】
プランジャ２の下端に設けられたリフタ３は、ばね４にてカム１００に圧接されている。プランジャ２は、内燃機関の吸気弁または排気弁のカムシャフト等により回転されるカム１００により、往復運動して加圧室１２内の容積を変化させる。プランジャ２の圧縮工程中に吸入弁５が閉弁すると、加圧室１２内圧力が上昇し、これにより吐出弁６が自動的に開弁し、燃料を蓄圧室１１８に圧送する。
【００３４】
吸入弁５は、加圧室１２の圧力が燃料吸入通路１０の圧力より低くなると自動的に開弁するが、閉弁に関しては、ソレノイド８０の動作により決定される。図１０にソレノイド８０をＯＮした場合の動作について示す。ソレノイド８０が
ＯＮ（通電）状態を保持した際は、ばね８２の付勢力以上の電磁力を発生させ、係合部材８１をソレノイド８０側に引き寄せるため、係合部材８１と吸入弁５は分離される。この状態であれば、吸入弁５はプランジャ２の往復運動に同期して開閉する自動弁となる。従って、圧縮工程中は、吸入弁５は閉塞し、加圧室１２の容積減少分の燃料は、吐出弁６を押し開き蓄圧室１１８へ圧送される。
【００３５】
ソレノイド８０がＯＦＦ（無通電）状態を保持した際は、ばね８２の付勢力により、係合部材８１は吸入弁５に係合し、吸入弁５を開弁状態に保持する。従って、圧縮工程時においても、加圧室１２の圧力は燃料吸入通路部とほぼ同等の低圧状態を保つため、吐出弁６を開弁することができず、加圧室１２の容積減少分の燃料は、吸入弁５と通り燃料吸入通路１０側へ戻される。よって、圧送燃料量は０となる。一方、圧縮工程の途中で、ソレノイド８０をＯＮ状態とすれば、このときから、蓄圧室１１８へ燃料圧送される。また、一度圧送が始まれば、加圧室１２内の圧力は上昇するため、その後、ソレノイド８０をＯＦＦ状態にしても、吸入弁５は閉塞状態を維持し、吸入工程の始まりと同期して自動開弁する。図１１にプランジャ圧縮工程におけるソレノイド８０のＯＮタイミングと吐出量の関係を示す。圧縮工程におけるソレノイド８０のＯＮタイミングにより、吐出量を調節することができる。
【００３６】
図６に、本発明の第五の実施形態である内燃機関の制御装置の制御フローチャートを示す。
【００３７】
まずステップ６０１では割込み処理が始まる。この割込み処理は、例えば１０ｍｓ毎のような時間同期でも、例えばクランク角度１８０ｄｅｇ毎のように回転周期でもよい。次にステップ６０２では高圧燃料供給装置およびその制御系の異常を検出する。異常とは、例えば係合部材８１がソレノイド８０側に引き寄せられた状態のままになり、高圧ポンプが全吐出状態になるような場合が想定される。この異常は、燃料蓄圧室内の圧力が目標燃料圧力よりも高い、ソレノイド８０への通電信号がＯＮ状態のままである、ソレノイド８０に電流が流れているままである、等を認識することによって検出可能である。
【００３８】
ステップ６０２で異常と判定された場合、ステップ６０３において、内燃機関負荷（燃料噴射量と同義）を読み込み、ステップ６０４において、読み込んだ内燃機関負荷を用いて許容内燃機関回転数上限値を算出する。ここで図７に許容内燃機関回転数上限値の算出方法を示す。図７より、圧力調整弁開弁圧，燃料噴射弁作動限界圧および圧力調整弁流量特性から、燃料圧力が燃料噴射弁作動限界圧を超えないための最大リリーフ燃料量を算出することができる。すなわちこの値まで、（高圧燃料ポンプ吐出量−燃料噴射量）の値を許容することが可能である。
【００３９】
また図８に示すように、ポンプ全吐出故障時の吐出流量は、ポンプ容量と内燃機関回転数に比例することから、許容内燃機関回転数上限値を算出することができる。具体的には、内燃機関コントロールユニット内において、例えば内燃機関負荷を軸としたテーブルを使用する、または、最悪条件である低負荷における許容内燃機関回転数上限値をすべての運転条件の回転数上限値として設定する、等により実現可能である。
【００４０】
続いてステップ６０５において内燃機関回転数を読み込み、ステップ６０６において許容回転数以上か判定する。ここで許容回転数以上の場合、ステップ６０７において許容回転数以下になるように燃料噴射量制限手段の一つである燃料カットを行う。
【００４１】
図９に、本発明の第六の実施形態である内燃機関制御装置の制御フローチャートを示す。図９において、ステップ６０６までは第五の実施形態と同様の操作を行い、ステップ６０６において内燃機関回転数が許容内燃機関回転数上限値以上か判定する。ここで許容回転数以上の場合、本実施形態ではステップ９０２において、内燃機関回転数が許容回転数以上にならないように吸入空気量の制限を行う。吸入空気量の制限は、例えばスロットル弁開度の制限で行う。続いてステップ９０３では、制限された吸入空気量に対して、失火が発生しない空燃比になるように燃料噴射量についても制限を行う。
【００４２】
本発明による効果を、図１５，図１６により述べる。図１５は従来例の場合の高圧燃料供給装置およびその制御系に異常が発生した場合の燃料圧力と失火回数のタイムチャートであり、図１６は本発明の場合の高圧燃料供給装置およびその制御系に異常が発生した場合の燃料圧力と失火回数のタイムチャートである。
【００４３】
まず、図１５では、燃料圧力が燃料噴射弁作動限界圧を超えるため燃料噴射制御が不能となり、燃焼室内の供給燃料量が要求値に達しなくなって混合気の空燃比が適正値よりもリーンになり失火が発生する。
【００４４】
一方、図１６では燃料圧力が燃料噴射弁作動限界圧を超えない燃料供給装置および制御装置を提供するため、失火は発生せず、安定した燃焼と排出ガス性能改善に貢献する。
【００４５】
【発明の効果】
本発明により、高圧燃料ポンプまたは高圧燃料ポンプの制御装置に異常が発生し、燃料噴射弁から噴射する燃料噴射量より前記高圧燃料ポンプによる吐出量が多い状態になったときでも、燃料蓄圧室内の圧力が燃料噴射弁の開弁限界圧を超えないような高圧燃料供給装置を提供できる。よって、燃焼室内の燃料量が要求値に達しなくなって混合気の空燃比が適正値よりもリーンになることを防ぎ、安定した燃焼と排出ガス性能改善に貢献する。
【図面の簡単な説明】
【図１】本発明の一実施形態の筒内噴射内燃機関制御システム全体構成図。
【図２】図１の内燃機関制御装置の内部構成図。
【図３】高圧燃料供給装置およびその制御系に異常が発生した場合の燃料圧力挙動の一例を示す図。
【図４】圧力調整弁の流量特性を示す図。
【図５】図１に示した高圧燃料ポンプの一実施例を示す図。
【図６】本発明の一実施例の制御フローチャート。
【図７】ステップ６０４の詳細説明図。
【図８】高圧燃料ポンプの流量特性を示す図。
【図９】本発明の一実施例の制御フローチャート。
【図１０】図５に示した高圧燃料ポンプの作動図。
【図１１】図５に示した高圧燃料ポンプの流量特性。
【図１２】本発明の一実施例の説明図。
【図１３】本発明の一実施例の説明図。
【図１４】本発明の一実施例の説明図。
【図１５】従来例の基本タイムチャート。
【図１６】本発明の一実施例の基本タイムチャート。
【符号の説明】
１…ポンプ本体、２…プランジャ、３…リフタ、４，８２…ばね、５…吸入弁、６…吐出弁、１０…燃料吸入通路、１１…燃料吐出通路、１２…加圧室、８０…ソレノイド、８１…係合部材、１００…カム、１０１…内燃機関、１０１ａ…ピストン、１０１ｂ…シリンダ、１０１ｃ…燃焼室、１０２…高圧燃料ポンプ、１０３…エアクリーナ、１０４…エアフロセンサ、１０５…スロットルボディ、１０６…コレクタ、１０７…コントロールユニット、１０８…スロットルセンサ、１０９…吸気管、１１０…燃料タンク、１１１…低圧燃料ポンプ、１１２…燃料圧力レギュレータ、１１３…燃料噴射弁、１１４…点火コイル、１１５…点火プラグ、１１６…カム角センサ、１１７…クランク角センサ、１１８…蓄圧室、１１９…圧力調整弁、１２０…圧力センサ、１２１…排気管、１２２…触媒、１２３…空燃比センサ、１２４…排気弁のカムシャフト、１２５…吸気弁のカムシャフト、２０１…Ｉ／Ｏ　ＬＳＩ、２０２…ＥＰ−ＲＯＭ、２０３…ＭＰＵ、２０４…ＲＡＭ、６０１，９０１…割込み発生ステップ、６０２…異常検出ステップ、６０４…許容内燃機関回転数上限値算出ステップ、６０５…内燃機関回転数読込みステップ、６０６…回転数判定ステップ、６０７…燃料カットステップ、６０８，９０４…リターンステップ、９０２…吸入空気量制限ステップ、９０３…燃料噴射量制限ステップ。
【図１】
2004028037.tif 000003
【図２】
2004028037.tif 000004
【図３】
2004028037.tif 000005
【図４】
2004028037.tif 000006
【図５】
2004028037.tif 000007
【図６】
2004028037.tif 000008
【図７】
2004028037.tif 000009
【図８】
2004028037.tif 000010
【図９】
2004028037.tif 000011
【図１０】
2004028037.tif 000012
【図１１】
2004028037.tif 000013
【図１２】
2004028037.tif 000014
【図１３】
2004028037.tif 000015
【図１４】
2004028037.tif 000016
【図１５】
2004028037.tif 000017
【図１６】
2004028037.tif 000018